(57)【要約】【課題】手や指の不自由な人にとっても、使いやすい爪ヤスリを提供する。【解決手段】ヤスリ面２の裏側に台部１を設け、手に持つのでなく、卓上や膝上に置いた状態で使用可能とする。【選択図】　図１
2004113740.tif 000002
【特許請求の範囲】
【請求項１】
下に台部（１）を設け、上側に爪ヤスリ面（２）を設けた卓上爪ヤスリ。
【請求項２】
台部高さが１０ｍｍ以上、台部下面の幅が１０ｍｍ以上、ヤスリ面の長さが８０ｍｍ以上とした請求項１に記載の卓上爪ヤスリ。
【発明の詳細な説明】
【０００１】
【発明の属する技術分野】
本発明は、指の爪を削るために使用する爪ヤスリに関する。
【０００２】
【従来の技術】
従来の金属製爪ヤスリにおいては、機械式の目切りを行ったものとケミカルエッチングで凹凸を付けたものがその代表としてある。これらは、いずれも板状で、厚さは０．６ｍｍ〜１ｍｍ程度となっている。しかも、すべて手に持って使用することを前提としている。
【０００３】
その他の爪ヤスリとして、木製の薄板にサンドペーパーを貼り付けたタイプのものやガラス製のものがあるが、これらも、２〜３ｍｍ程度の板状で手に持って使用することを前提としている。また、一般的に爪切りの柄の裏側に爪ヤスリが彫られているが、これも手に持って使用するものである。
【０００４】
【発明が解決しようとする課題】
従来の爪ヤスリは、いずれも手に持って使用するものである。つまり、左手の指の爪を削るあるいは磨く時は右手に爪ヤスリを持ち、右手の指の爪を削るあるいは磨く時は左手に爪ヤスリを持つ。しかしながらこうした行動は、右手、左手、あるいは右指、左指共に健常な人の場合にのみ可能なものであって、いずれか一方の手、指が、あるいは両方の手、指が共に、不自由な人にとっては、使いづらいあるいは使えないものである。
【０００５】
本発明は、こうした欠点を解消し、例え手に持たなくても、卓上にあるいは膝上に置いた状態で爪を自由に削ったり、磨いたりする道具を提供することを目的としている。
【０００６】
【課題を解決するための手段】
上記の目的を達成するために、本発明の爪ヤスリあっては、ヤスリ面の裏側にある高さを確保し、卓上あるいは膝上に置いた状態での使用を、且つもう一方の手で押さえた状態での使用を可能とするものである。
【０００７】
こうすることで、手、指が健常で無い人にとっても簡単に、しかも快適に爪削りや爪磨きができることを可能としている。
【０００８】
【発明の実施の形態】
発明の実施の形態を実施例にもとづき図面を参照して説明する。
図１はストレート形卓上爪ヤスリを示したもので、ステンレス製の平板状の目切り爪ヤスリ３を上向けにし、その下側、即ちヤスリ面２の裏側に木製の台部１を設け、両者を釘４にて４ヶ所留めたものである。この例では、木製台のサイズを高さ２０ｍｍ、幅２０ｍｍ、上部長さ００ｍｍ、下部長さ１０５ｍｍ、爪ヤスリの板厚を１ｍｍとしている。
【０００９】
釘４で止めたのは、ヤスリ部の端面をモノに当てた時に、ヤスリ板が浮き上がったり、剥がれ落ちたり、あるいは使用中にいきなり剥がれたりするのを防止するためである。信頼性が保証できるならば接着剤や両面接着テープを用いて貼り付けてもよいが、特に机上に置いて使う場合はいきなり剥がれ落ちると危険であるため釘で留める配慮をした。留める釘は、４本でなくても、２本あればその機能を十分に果たすことは、当然のことである。
【００１０】
図２は角筒形の卓上爪ヤスリを示したもので、金属製の板状爪ヤスリ３の裏側の側壁を、同じく金属で形成し、この側壁を台部１としたものである。この例のサイズは外形で２５ｍｍ□、長さ１１０ｍｍ、板厚１ｍｍの角筒型とした。すべて板状素材をＹＡＧレーザーにて溶接し組み立てた。溶接後は軽く酸洗した。この場合、溶接に替えて曲げ加工により形作ってもよい。
【００１１】
図３は棒形卓上爪ヤスリを示したもので、棒状のステンレス素材の一面に爪ヤスリ用の目切りを行い、ヤスリ面２と台部１とが一体となったものである。この例のサイズは幅２０ｍｍ、高さ２５ｍｍ、長さ１２０ｍｍとした。
【００１２】
卓上爪ヤスリとして特に重要なのは、台部の高さであって、図１、図２、図３の例では、いずれも健常でない手でも十分に押さえこめる高さとしている。もしこの高さが低いと、例えば従来の爪ヤスリのように数ｍｍの厚さであると、卓上に置いた状態ではヤスリがきちんと押さえ込めず、爪磨きの力によって押さえた手からすっぽ抜けたり、横すべりを起こしたりということがあるためである。つまり側壁にも手の一部が十分に引っ掛かる高さとしている。
台の高さは、こうした理由から、少なくとも１０ｍｍ程度は必要である。
【００１３】
また図６、図７、図８に示した使用状態を見てもわかるように、片手で押さえこむためには、長さ方向で５０ｍｍ程度は押さえ代１０が必要であり、残りの使用可能長さ１１が爪削りとして必要な部分である。この使用可能な長さとして、最低３０ｍｍは必要と考えられ、押さえ代５０ｍｍをプラスすると、ヤスリ長さは最低でも８０ｍｍは必要である。
【００１４】
こうしたことを考慮し、図１、図２、図３の例では、それぞれ余裕をいれて、長さ１００ｍｍ、１１０ｍｍ、１２０ｍｍとしたものである。
【００１５】
爪ヤスリの幅は、爪を削る機能からいくと狭くてもよい。しかし、台部の下幅は、図６の使用状態を見てもわかるように、上からの押さえ込みに対して横方向の倒れを防ぐ必要があることから、最低１０ｍｍ程度は必要である。
【００１６】
さらに、本発明の卓上爪ヤスリの使用は、図７に示したように、横倒しにし、縦にヤスリ面をもってきた状態で使う方が便利なこともある。こうした場合は、台部の下幅が今まで述べてきた高さとなるため、その押さえやすさを考慮して、やはり台部の下幅は１０ｍｍ以上とることが好ましい。
【００１７】
指の向きによっては、卓上爪ヤスリを、図８に示すように卓の端からはみ出して使用する方が爪を削りやすいことは言うまでも無い。
【００１８】
図４は、中凸形卓上爪ヤスリを示したもので、ヤスリ部を中凸形状としたものである。この例では、木製の台部１に、ステンレス製のエッチングした爪ヤスリを釘で止めている。台部のサイズは、幅が２０ｍｍ、端部の高さ２０ｍｍ、中央部の高さ２８ｍｍ、長さ１００ｍｍ、ヤスリ部板厚みは０．８ｍｍとした。
【００１９】
図５は中凹形卓上爪ヤスリを示したもので、ヤスリ部を中凹形状としたものである。この例では、台部の高さ５０ｍｍ、台部下面の幅３０ｍｍ、長さ１４０ｍｍ、台部上面の幅２０ｍｍ、長さ１２０ｍｍ、ヤスリ部の幅２０ｍｍ、長さ１００ｍｍ、Ｒ１００ｍｍとした。ヤスリ部は、サンドペーパー＃４００を接着剤で貼り付けた。
【００２０】
本発明の卓上形爪ヤスリは、図４、図５のような形であってもよい。いずれの形でも、使用時に片手で押さえる部位は端のほうであるため、本請求項に記載の台部１の高さは、端部の高さを規定したものである。また、幅も台部１の底面の幅を規定したものである。
【００２１】
図５の例では、台部が横面、端面共に台形となっているため、図７、図８に示す使い方では、ヤスリ面が垂直ではなく、多少傾いた形となる。しかし、何ら問題なく使用できる。あるいは却って使いやすい場合もあり、問題ではない。
【００２２】
卓上ヤスリの機能としては、ヤスリ部が平面となった図１、図２、図３で十分であるが、顧客によっては、中凸や中凹を好む人もいる。ちなみに、中凸の場合は、爪と爪ヤスリとの間の接触面積が小さいため軽く削れる利点がある。しかし、爪の形は整いにくい。一方、中凹の場合は、接触面積は大きくなるため、爪削りには比較的大きな力が必要である。しかし、爪の形は整いやすい。ほぼ、この中間に位置するのが平面形である。このように、ヤスリ面の形状によりその特性は異なるが、いずれも存在し得る。
【００２３】
本発明の卓上爪ヤスリで爪を削ったり、磨いたりした結果、十分にその機能を発揮した。また、手の不自由な人であっても、従来の手持ちタイプの爪ヤスリに比べて、はるかに使いやすかったことは言うまでも無い。
【００２４】
また、本発明品は、卓上で使用するのを中心に考案したものであるが、膝の上等に載せて使用してもよいことは当然のことである。
【図面の簡単な説明】
【図１】ストレート形卓上爪ヤスリの平面図（ａ）及び断面図（ｂ）である。
【図２】角筒形卓上爪ヤスリの平面図（ａ）及び側面図（ｂ）である。
【図３】棒形卓上爪ヤスリの平面図（ａ）及び断面図（ｂ）である。
【図４】中凸形卓上爪ヤスリの平面図（ａ）及び断面図（ｂ）である。
【図５】中凹形卓上爪ヤスリの平面図（ａ）及び断面図（ｂ）である。
【図６】使用状態を示す斜視図である。
【図７】使用状態を示す斜視図である。
【図８】使用状態を示す斜視図である。
【符号の説明】
１　台部
２　ヤスリ面
３　板状ヤスリ
４　釘
５　サンドペーパー
６　接着剤
７　卓
１０　押さえ代
１１　使用可能長さ
【図１】
2004113740.tif 000003
【図２】
2004113740.tif 000004
【図３】
2004113740.tif 000005
【図４】
2004113740.tif 000006
【図５】
2004113740.tif 000007
【図６】
2004113740.tif 000008
【図７】
2004113740.tif 000009
【図８】
2004113740.tif 000010